(57)【特許請求の範囲】
【請求項１】
直立して設置されたマストと、
前記マストに設けられたラックと、
前記ラックとの噛合いにより前記マストに沿って昇降可能な搬器と、
索車を備え、前記ラックとの噛合いにより前記マストに沿って昇降可能な頂部台と、
前記マストに沿って昇降可能なつりあい重りと、
前記索車に掛け渡した吊下索と、
前記頂部台に昇降機構を介して昇降自在に設けた昇降台枠とを具備し、
前記頂部台を前記マストの上方位置に保持し、前記索車に掛け渡した前記吊下索の各端部を前記搬器と前記つりあい重りに係止し、
前記昇降台枠を建築物の躯体の開口の養生とした、
開口養生付き工事用仮設エレベータ。
【請求項２】
前記昇降台枠の前記マストに対応する部分を、開閉可能な部分台枠とした、請求項１に記載の開口養生付き工事用仮設エレベータ。
【請求項３】
前記昇降台枠の前記部分台枠が、水平軸を中心に回動自在に開閉可能に設けられた、請求項２に記載の開口養生付き工事用仮設エレベータ。
【請求項４】
前記昇降台枠の前記部分台枠が、スライド自在に開閉可能に設けられた、請求項２に記載の開口養生付き工事用仮設エレベータ
【発明の詳細な説明】
【技術分野】
【０００１】
本発明は、建築構造物の内部に設置される工事用仮設エレベータに関し、特に開口部の養生を付設した開口養生付き工事用仮設エレベータに関する。
【背景技術】
【０００２】
建築構造物を建設する工事現場で用いる工事用仮設エレベータは、下記特許文献１に記載されているように、一般的にマストにラックを設けるとともに、搬器にラックと噛合うピニオン及びこのピニオンを回転駆動する駆動装置を搭載して、搬器自身で昇降駆動する自走式のエレベータが用いられている。そして、建築構造物の建築作業の進展に応じて、各階床が建築されていくにつれて、そのつど工事用仮設エレベータのマストが順次接続され、工事用仮設エレベータのクライミングを行う。そして、地上と各階床間とで工事用仮設エレベータの搬器を昇降可能とし、地上から各階床への作業員の移動、各種資材の荷役作業が円滑に、そして能率よく行われている。
【０００３】
この工事用仮設エレベータは、建設中の建築構造物の建屋内部に設置することが広く行われている。その場合、建築構造物における本設エレベータの開口を利用して設置したり、各階床の一部に開口を形成して設置することが行われている。いずれの設置の仕方でも、工事用仮設エレベータは、建設中の建築構造物の建屋内部の開口を移動することから、建屋内部の躯体に上下に貫通した縦穴の開口が出現することとなる。
【０００４】
このような状況において、建設中の建築構造物の最上階では、さらに上層の階の鉄骨建方等の作業が行われることとなる。その場合、工事用仮設エレベータの開口の最上部からの人員の墜落、資材や工具等の落下を防ぐために、この最上部の開口に、水平ネット、鉄板等による養生を施す必要があり、そのための作業が通常行われることとなる。
【特許文献１】特許第３３７２８９２号明細書
【発明の開示】
【発明が解決しようとする課題】
【０００５】
上記従来の建設中の建築構造物においては、その工事用仮設エレベータ用開口の養生の作業は、建設中の建築構造物の最上階の、しかも建屋内部の躯体に上下に貫通した縦穴の開口付近で行う必要があることから、きわめて危険な作業となる。
【０００６】
本発明の目的は、建設中の建築構造物での工事用仮設エレベータにおいて、必ず必要となるエレベータ開口の養生を、工事用仮設エレベータの頂部台に昇降可能に設けた昇降台枠を利用して、工事用仮設エレベータ自身により行い、その作業を安全かつ簡単に行うことを目的とする。さらに、昇降台枠に工事用仮設エレベータのクライミング時の追加のマストの取込みを可能とする開閉可能な部分台枠を設け、頂部台を解体することなく工事用仮設エレベータのクライミングを可能とし、工事用仮設エレベータのクライミングと同時に工事用仮設エレベータの開口の最上部の養生を可能とする開口養生付き工事用仮設エレベータを提供することにある。
【課題を解決するための手段】
【０００７】
本発明の開口養生付き工事用仮設エレベータは、直立して設置されたマストと、前記マストに設けられたラックと、前記ラックとの噛合いにより前記マストに沿って昇降可能な搬器と、索車を備え、前記ラックとの噛合いにより前記マストに沿って昇降可能な頂部台と、前記マストに沿って昇降可能なつりあい重りと、前記索車に掛け渡した吊下索と、前記頂部台に昇降機構を介して昇降自在に設けた昇降台枠とを具備し、前記頂部台を前記マストの上方位置に保持し、前記索車に掛け渡した前記吊下索の各端部を前記搬器と前記つりあい重りに係止し、前記昇降台枠を建築物の躯体の開口の養生とした構成を具備している。
【０００８】
本発明の好ましい形態では、前記昇降台枠の前記マストに対応する部分を、開閉可能な部分台枠とした構成を具備している。
【０００９】
本発明の好ましい形態では、前記昇降台枠の前記部分台枠が、水平軸を中心に回動自在に開閉可能に設けられた構成を具備している。
【００１０】
さらに、本発明の好ましい形態では、前記昇降台枠の前記部分台枠が、スライド自在に開閉可能に設けられた構成を具備している。
【発明の効果】
【００１１】
本発明によれば、建設中の建築構造物での工事用仮設エレベータにおいて、必ず必要となるエレベータ開口の養生を安全かつ簡単に行うことを可能とする。すなわち、工事用仮設エレベータの頂部台に付設した昇降台枠を、養生を行う開口部の高さに一致させて昇降させることで養生の作業としては、昇降台枠と階床の開口との間の隙間をふさぐだけの作業となり、開口からの人員の墜落、資材や器具の落下などの危険もなく、養生の作業を安全かつ簡単なものとすることができる。さらに、その昇降台枠の一部を、追加のマストの取込み可能に開閉自在な部分台枠とした構成を有することにより、工事用仮設エレベータの頂部台を解体することなく工事用仮設エレベータのクライミングを可能とする。さらに、工事用仮設エレベータのクライミングとともに同時に工事用仮設エレベータの開口の最上部の養生を可能とする。
【発明を実施するための最良の形態】
【００１２】
以下に本発明の一実施形態に係る開口養生付き工事用仮設エレベータの全体構成について、図１〜図５を参照して説明する。
【００１３】
図１は本発明の一実施形態に係る開口養生付き工事用仮設エレベータの全体を示す正面図であり、図２は図１の側面図である。図３は、図１及び図２のＸ−Ｘ断面図であり、図４は、図１及び図２のＹ−Ｙ断面図であり、図５は、図１及び図２のＺ−Ｚ断面図である。
【００１４】
基礎Ｇ上に開口養生付き工事用仮設エレベータ１のマスト２を直立して設置する。マスト２は所定長さの部分マスト２−１、２−２、・・・２−ｎを複数本接続して形成されている。３は搬器であり、４は頂部台、５は昇降台枠、６はつりあい重りを示している。
【００１５】
マスト２の各部分マスト２−１、２−２、・・・２−ｎには、搬器３及び頂部台４を昇降させるためのラック７、搬器３及び頂部台４の昇降を案内させるための案内部材８、さらにつりあい重り６の昇降をガイドするためのガイド部材９が設けられている。マスト２の各部分マスト２−１、２−２、・・・２−ｎは、取付部１８により、建設中の建築構造物の建屋内部の躯体に固定保持される。
【００１６】
搬器３の下部には搬器駆動機構１０が設けられ、モータ、減速機構等によりピニオンを回転駆動可能とし、各部分マスト２−１、２−２、・・・２−ｎに設けられたラック７との噛合いにより、搬器３の昇降を行う。搬器３の屋根部には、つりあい重り６にその一端を係止した吊下索１３の他端部を係止するとともに繰出し可能とする繰出係止機構１４を備えている。
【００１７】
頂部台４の下部には頂部台駆動機構１１が設けられ、搬器駆動機構１０と同様に、モータ、減速機構等によりピニオンを回転駆動可能とし、各部分マスト２−１、２−２、・・・２−ｎに設けられたラック７との噛合いにより、頂部台４の昇降を行う。所定位置で停止した頂部台４は、カンヌキなどの係止部１９でその位置に保持される。通常、頂部台４はマスト２の上方位置に保持される。頂部台４には、吊下索１３を案内する索車１２が設けられ、この索車１２に掛け渡された吊下索１３を介して、吊下索１３の各端部に搬器３とつりあい重り６が係止されている。
【００１８】
頂部台４には、支持枠１５に支持された昇降機構１６を介して昇降自在に昇降台枠５が設けられている。
【００１９】
このような構成を有する開口養生付き工事用仮設エレベータ１において、今、建設中の建築構造物のｎ階までの階床が立ち上がっている場合を想定すると、ｎ階の上下の階床ＦＬの間に開口養生付き工事用仮設エレベータ１の頂部台４が位置するように、マスト２の高さを調整する。地上とｎ階までの各階床との間を開口養生付き工事用仮設エレベータ１の搬器３は昇降可能であり、開口養生付き工事用仮設エレベータ１を利用することにより、地上から各階床への作業員の移動、各種資材の荷役作業が円滑に、能率よく行われる。
【００２０】
そして、この頂部台４より昇降機構１６を介して昇降台枠５をｎ階の上部の階床ＦＬ（天井部）に位置させ、この昇降台枠５を開口養生付き工事用仮設エレベータ１の最上部の開口の養生に利用する。
【００２１】
次に、本発明の一実施形態に係る開口養生付き工事用仮設エレベータ１の頂部台４、及び昇降台枠５の細部について、図６〜図１０を参照して説明する。
【００２２】
図６は本発明の一実施形態に係る開口養生付き工事用仮設エレベータの上部の構成を示す正面図であり、図７は図６の側面図であり、図８は図６の平面図である。図９は本発明の他の実施形態に係る開口養生付き工事用仮設エレベータの上部の構成を示す側面図であり、図１０は図９の平面図である。
【００２３】
頂部台４は、頂部台駆動機構１１とラック７によりマスト２の最上部付近に上昇し、係止部１９により、通常その位置に固定状態に保持されている。索車１２に掛け渡された吊下索１３の各端部には搬器３とつりあい重り６が係止されている。昇降台枠５は、頂部台４の支持枠１５に載置された昇降機構１６により、建設中の建築構造物の最上階のさらに上層の鉄骨建方等の作業が行われている階床の養生に使用するために、鎖線位置から上昇位置にある。養生の作業としては、上昇位置にある昇降台枠５と躯体の開口との隙間をネット、鉄板等によりふさぐだけの作業となる。
【００２４】
昇降台枠５には、水平軸を中心に回動自在に開閉可能に設けた部分台枠１７が設けられ、マスト２に対応する昇降台枠５の一部を開閉可能な構成とされている。部分台枠１７を開として、追加の部分マスト２−（ｎ＋１）、２−（ｎ＋２）を取込み通過させ、下方の既設の部分マスト２−１、・・・２−ｎに接続して、開口養生付き工事用仮設エレベータ１のさらなる上方位置へのクライミングを可能とする。
【００２５】
部分台枠１７を開閉可能にする構成として、昇降台枠５にスライド自在に開閉可能に設けた構成（図９、図１０）を用いることも可能である
昇降機構として油圧シリンダ等によるパンタグラフ機構を開示しているが、油圧シリンダ等により直接昇降自在とする機構、ラックピニオンによる機構、吊索と巻上機による機構、送りねじとスライダによる機構など、各種の昇降機構を用いることができる。
【００２６】
頂部台４からの昇降台枠５の昇降ストロークとしては、少なくとも部分マストの高さ１本分とすれば、あらゆる階床の高さに対応することができる。
【００２７】
次に、建築構造物の建設作業の進展の伴う、本発明の一実施形態に係る開口養生付き工事用仮設エレベータの作動状況について、図１１〜図１３を参照して説明する。
【００２８】
図１１は、建築構造物の建設作業の進展に伴う、本発明の一実施形態に係る開口養生付き工事用仮設エレベータの作動工程の作動前を示す模式図であり、図１２は、その作動中を示す模式図であり、図１３は、その作動後を示す模式図である。
【００２９】
ｎ階までの階床が立ち上がっており、ｎ階の階床ＦＬに開口養生付き工事用仮設エレベータ１の搬器３が停止可能とするように頂部台４が部分マスト２−ｎに固定状態に保持される。そして、昇降台枠５は、さらに上層の鉄骨建方等の作業が行われている、ｎ＋１階の階床の養生に使用するために上昇位置にある（図１１）。養生の作業としては、上昇位置にある昇降台枠５と躯体の開口との隙間をネット、鉄板等によりふさぐだけの作業となる。
【００３０】
ついで、さらに上方のｎ＋１階での作業を開始するに際し、部分台枠１７を昇降台枠５より開とし、追加の部分マスト２−（ｎ＋１）、２−（ｎ＋２）を通過させて、既設の部分マスト２−ｎに接続可能とする（図１２）。
【００３１】
追加の部分マスト２−（ｎ＋１）、２−（ｎ＋２）の接続作業が終了すると、頂部台４は解体されることなくそのまま、さらなる上方位置へのクライミングが行われる。なお、安全のために、クライミング時には、昇降台枠５は下降位置とすることが望ましい。そして、ｎ＋１階の階床ＦＬに開口養生付き工事用仮設エレベータ１の搬器３が停止可能となる。昇降台枠５は、さらに上層の鉄骨建方等の作業が行われている、ｎ＋２階の階床の養生に使用するために上昇位置とする（図１３）。
【００３２】
上記で説明した実施の形態では、部分マストの長さが各階床の床面から天井までの高さより短い例を開示しているが、これに限定されるものではない。部分マスト１本の長さがあまり長いと高所作業でのその取扱いが容易でなくなるとの問題を生じる。頂部台４からの昇降台枠５の昇降ストローク、さらには各階床の床面から天井までの高さと関連して適切な長さを選択することが望ましい。
【００３３】
又、昇降台枠５に排水口を設け、排水ホースを介して、排水を最寄の階床に排水することにより、止水の養生を簡単に行うことが可能となる。
【００３４】
さらに、養生の作業として、昇降台枠５と躯体の開口との隙間をネット、鉄板等によりふさぐことのほかに、昇降台枠５に鉄板等を水平軸を中心に回動自在に取付け、その鉄板等を回動することで、その隙間をふさぎ、養生の作業を簡単にすることが可能となる。
【図面の簡単な説明】
【００３５】
【図１】図１は本発明の一実施形態に係る開口養生付き工事用仮設エレベータの全体を示す正面図。
【図２】図１の側面図。
【図３】図１及び図２のＸ−Ｘ断面図。
【図４】図１及び図２のＹ−Ｙ断面図。
【図５】図１及び図２のＺ−Ｚ断面図。
【図６】本発明の一実施形態に係る開口養生付き工事用仮設エレベータの上部の構成を示す正面図。
【図７】図６の側面図。
【図８】図６の平面図。
【図９】本発明の他の実施形態に係る開口養生付き工事用仮設エレベータの上部の構成を示す側面図。
【図１０】図９の平面図。
【図１１】建築構造物の建設作業の進展に伴う、本発明の一実施形態に係る開口養生付き工事用仮設エレベータの作動工程の作動前を示す模式図。
【図１２】建築構造物の建設作業の進展に伴う、本発明の一実施形態に係る開口養生付き工事用仮設エレベータの作動工程の作動中を示す模式図。
【図１３】建築構造物の建設作業の進展に伴う、本発明の一実施形態に係る開口養生付き工事用仮設エレベータの作動工程の作動後を示す模式図。
【符号の説明】
【００３６】
１…開口養生付き工事用仮設エレベータ
２…マスト
２−１、２−２、・・・２−ｎ…部分マスト
２−（ｎ＋１）、２−（ｎ＋２）…追加の部分マスト
３…搬器
４…頂部台
５…昇降台枠
６…つりあい重り
７…ラック
８…案内部材
９…ガイド部材
１０…搬器駆動機構
１１…頂部台駆動機構
１２…索車
１３…吊下索
１４…繰出係止機構
１５…支持枠
１６…昇降機構
１７…部分台枠
１８…取付部
１９…係止部
Ｇ…基礎
ＦＬ…階床
【図１】
0004706973.tif 000002
【図２】
0004706973.tif 000003
【図３】
0004706973.tif 000004
【図４】
0004706973.tif 000005
【図５】
0004706973.tif 000006
【図６】
0004706973.tif 000007
【図７】
0004706973.tif 000008
【図８】
0004706973.tif 000009
【図９】
0004706973.tif 000010
【図１０】
0004706973.tif 000011
【図１１】
0004706973.tif 000012
【図１２】
0004706973.tif 000013
【図１３】
0004706973.tif 000014